【手続補正書】
【提出日】平成15年10月31日(2003.10.31)
【手続補正１】
【補正対象書類名】明細書
【補正対象項目名】特許請求の範囲
【補正方法】変更
【補正の内容】
【特許請求の範囲】
【請求項１】
装置本体の手前側から奥側へ向けて開閉可能で下側に遮光カバー開口部を有する記録材料遮光用カバーと、
ロール状の記録材料を収納する記録材料箱の材料引き出し口を下向きにして記録材料の先端を記録材料挿入口に挿入し前記遮光カバー開口部に沿って手前側から奥側に押して装填するセット部と、
装填した記録材料を搬送方向へ引き出す搬送ローラ対と、
記録材料の先端を所定量引き出した後にカットするカッタ部とを備える画像記録装置であって、
前記記録材料箱を前記遮光カバー開口部の手前側から奥側に案内する記録材料箱案内ガイドを備えることを特徴とする画像記録装置。
【請求項２】
前記記録材料箱案内ガイドは、前記遮光カバー開口部の手前側から奥側に傾斜していることを特徴とする請求項１記載の画像記録装置。
【請求項３】
前記記録材料箱案内ガイドの高さが、装填した状態の記録材料引き出し口から前記搬送ローラ対の中心までの距離より長いことを特徴とする請求項１または請求項２記載の画像記録装置。
【請求項４】
前記搬送ローラ対の前記記録材料の巻芯カール側のローラを摩擦抵抗の少ない滑り性の良い材質のローラで、巻芯カールと反対側のローラを摩擦抵抗の高い材質のローラとし、かつ記録材料装填時に摩擦抵抗の高い材質のローラ側を圧着解除方向に移動し、材料装填隙間を設けたことを特徴とする請求項１乃至請求項３のいずれかに記載の画像記録装置。
【請求項５】
前記記録材料箱と前記搬送ローラ対の間に材料案内ガイド対を設け、前記材料案内ガイド対の隙間間隔を前記搬送ローラ対側で狭くなるよう傾斜を付け、かつ前記遮光カバー開口部の手前側から奥側に狭くなるよう傾斜を付けたことを特徴とする請求項１乃至請求項４のいずれかに記載の画像記録装置。
【請求項６】
前記記録材料箱案内ガイドを、前記記録材料箱の移動を規制するための記録材料箱固定具として兼用することを特徴とする請求項１乃至請求項５のいずれかに記載の画像記録装置。
【請求項７】
前記記録材料箱案内ガイドの中央部に箱取り出し用手差し開口部を設けたことを特徴とする請求項１乃至請求項６のいずれかに記載の画像記録装置。
【請求項８】
請求項１乃至請求項７のいずれかに記載の画像記録装置を備え、
記録材料を固定的に保持する実質的に円柱面形状の外周面を有する円筒と、
前記円柱面の円柱軸を実質的に中心にして前記円筒を回す円筒回動手段と、
レーザー光を前記記録材料に照射して露光する露光ヘッドと、を有し、
前記露光ヘッドからレーザー光を照射させることと、前記円筒回動手段により前記円筒を回すこととを、色分解網原稿画像データに対応する画像データに応じて行って、前記円筒に固定的に保持された記録材料の画像記録面に、前記色分解網原稿画像データに対応するカラープルーフ画像を記録することを特徴とするカラープルーフ作成装置。
【手続補正２】
【補正対象書類名】明細書
【補正対象項目名】０００６
【補正方法】変更
【補正の内容】
【０００６】
また、搬送ローラ対の記録材料の巻芯カール側をゴムローラ、反対側の移動側ローラを滑り性の良いベークローラあるいはゴムローラ同士の組み合わせを使用していた。また、材料箱案内ガイドもなく、搬送用案内ガイドも上下方向の隙間のみ変化し、材料幅方向、即ち遮光カバー開口部の手前側から奥側は一定間隔となっている。


【手続補正３】
【補正対象書類名】明細書
【補正対象項目名】００１２
【補正方法】変更
【補正の内容】
【００１２】
請求項１記載の発明は、『装置本体の手前側から奥側へ向けて開閉可能で下側に遮光カバー開口部を有する記録材料遮光用カバーと、
ロール状の記録材料を収納する記録材料箱の材料引き出し口を下向きにして記録材料の先端を記録材料挿入口に挿入し前記遮光カバー開口部に沿って手前側から奥側に押して装填するセット部と、
装填した記録材料を搬送方向へ引き出す搬送ローラ対と、
記録材料の先端を所定量引き出した後にカットするカッタ部とを備える画像記録装置であって、
前記記録材料箱を前記遮光カバー開口部の手前側から奥側に案内する記録材料箱案内ガイドを備えることを特徴とする画像記録装置。』である。


【手続補正４】
【補正対象書類名】明細書
【補正対象項目名】００２６
【補正方法】変更
【補正の内容】
【００２６】
請求項８記載の発明は、『請求項１乃至請求項７のいずれかに記載の画像記録装置を備え、
記録材料を固定的に保持する実質的に円柱面形状の外周面を有する円筒と、
前記円柱面の円柱軸を実質的に中心にして前記円筒を回す円筒回動手段と、
レーザー光を前記記録材料に照射して露光する露光ヘッドと、を有し、
前記露光ヘッドからレーザー光を照射させることと、前記円筒回動手段により前記円筒を回すこととを、色分解網原稿画像データに対応する画像データに応じて行って、前記円筒に固定的に保持された記録材料の画像記録面に、前記色分解網原稿画像データに対応するカラープルーフ画像を記録することを特徴とするカラープルーフ作成装置。』である。


【手続補正５】
【補正対象書類名】明細書
【補正対象項目名】００３３
【補正方法】変更
【補正の内容】
【００３３】
また、色分解網原稿画像データに対応するカラープルーフ画像は、色分解網原稿画像データから作成される印刷物をシュミレートするカラープルーフ画像のことである。また、色分解網原稿画像データに対応する画像データとは、色分解網原稿画像データに対応する画像データであればよく、色分解網原稿画像データそのものだけではなく、例えば、連続階調の原稿画像データから色分解網原稿画像データを生成する網点画像化処理装置に入力される連続階調の原稿画像データや、色分解網原稿画像データを連続階調の画像データに変換する連続階調化処理装置で色分解網原稿画像データから変換して得られた連続階調の画像データなどであってもよい。


【手続補正６】
【補正対象書類名】明細書
【補正対象項目名】００４３
【補正方法】変更
【補正の内容】
【００４３】
セット部７には、記録材料遮光用カバー９が上面パネル５に開閉可能に設けられ、記録材料遮光用カバー９を開いた状態で記録材料箱１０が装填される。記録材料箱１０を装填した状態で記録材料遮光用カバー９を閉じ、ロック機構７１で記録材料遮光用カバー９がロックされる。ロック機構７１はカバーロックモータＭ１により作動する。記録材料遮光用カバー９には記録材料箱有無センサＳ１が設けられ、セット部７にはカバー開検出センサＳ２及びカバーロック検出センサＳ３が設けられている。記録材料箱１０は、感光材料の先端を所定長さ引き出した状態で、給送部２０の搬送ローラ対２１のローラ２１ａ，２１ｂの間の位置にセットする。


【手続補正７】
【補正対象書類名】明細書
【補正対象項目名】００４４
【補正方法】変更
【補正の内容】
【００４４】
給送部２０には、ローラ２１ａ，２１ｂと記録材料箱１０との間にペーパーエンドセンサＳ４が設けられ、このペーパ−エンドセンサＳ４により、記録材料箱１０から引き出される感光材料の終端を検出する。一方のローラ２１ａは位置が固定され、他方のローラ２１ｂはローラ移動機構２４により移動可能になっており、ペーパー搬送動作中以外はローラ圧着によるペーパしわ発生防止のため給紙ローラ２１ｂを待機位置へ移動させる。ローラ移動機構２４は、ローラ圧着解除モータＭ２により作動する。


【手続補正８】
【補正対象書類名】明細書
【補正対象項目名】００４５
【補正方法】変更
【補正の内容】
【００４５】
感光材料の搬送中は、ローラ２１ｂを搬送位置に移動させて感光材料を対向するローラ２１ａ，２１ｂとの間で圧着する。ローラ２１ｂの位置は、給紙ローラ圧着位置検出センサＳ５及び給紙ローラ解除位置検出センサＳ６により検出される。ローラ２１ａは、給紙モータＭ３により作動する。


【手続補正９】
【補正対象書類名】明細書
【補正対象項目名】００４９
【補正方法】変更
【補正の内容】
【００４９】
ドラム３１の他方の軸部３１ｂは、吸引ブロア２００に連結されている。ドラム３１は中空体で形成され、表面には吸着孔３１ｃが形成され、吸引ブロア２００の駆動によりドラム３１の内部が減圧されて感光材料がドラム３１の表面に吸着される。


【手続補正１０】
【補正対象書類名】明細書
【補正対象項目名】００５０
【補正方法】変更
【補正の内容】
【００５０】
光学ユニット３２には、レッドレーザ光源（ＨｅＮｅ）３２０、グリーンレーザ光源（ＨｅＮｅ）３２１、ブルーレーザ光源（Ａｒ）３２２が配置されている。レッドレーザ光源３２０及びグリーンレーザ光源３２１からのレーザービームは、ＡＯＭ（音響光学素子：光源強度を制御する）３２３，３２４及びミラー３２５，３２６を介して、また、ブルーレーザ光源３２２はＡ０Ｍ３２７、ミラー３２８及びミラー３３０を介して、集光レンズ３３１、結像レンズ３３４からドラム３１上の感光材料に画像を露光する。露光シャッタ３３２は露光ソレノイド３３３により開閉することで、露光開始／終了時に光路の開閉を行なう。


【手続補正１１】
【補正対象書類名】明細書
【補正対象項目名】００６０
【補正方法】変更
【補正の内容】
【００６０】
また、装置本体２の手前側には、記録材料箱１０を遮光カバー開口部９ｂの手前側から奥側に案内する記録材料箱案内ガイド１０００が備えられている。この記録材料箱案内ガイド１０００は、ベースプレート１０００ａと、このベースプレート１０００ａに固定された一対の棒部材を屈曲して形成された傾斜ガイド１０００ｂと、ベースプレート１０００ａを装置本体２に締付固定する締付ボルト１０００ｃから構成されている。一対の傾斜ガイド１０００ｂは、遮光カバー開口部９ｂの手前側から奥側に傾斜している。また、締付ボルト１０００ｃは、ベースプレート１０００ａに形成された長孔１０００ｄに挿通されており、締付ボルト１０００ｃを緩めると記録材料箱案内ガイド１０００を図８に示すように矢印Ａ方向にスライド可能になっている。


【手続補正１２】
【補正対象書類名】明細書
【補正対象項目名】符号の説明
【補正方法】変更
【補正の内容】
【符号の説明】
１  カラープルーフ作成装置
２  装置本体
３  露光ユニット
４  現像処理ユニット
７  セット部
８  操作部
９  記録材料遮光用カバー
１０  記録材料箱
１０ａ  材料引き出し口
２０  給紙部
２１  搬送ローラ対
２１ａ，２１ｂ  ローラ
２２  カッター部
２３  ドラム給排紙ローラ
３１  ドラム
３０  主走査部
４０  副走査部
６０  アキュームレータ部
１０００  記録材料箱案内ガイド
１００２  記録材料挿入口
Ｐ  ロール状の記録材料


【手続補正１３】
【補正対象書類名】図面
【補正対象項目名】図１
【補正方法】変更
【補正の内容】
【図１】
2000098503.tif 000001
【手続補正１４】
【補正対象書類名】図面
【補正対象項目名】図２
【補正方法】変更
【補正の内容】
【図２】
2000098503.tif 000002
【手続補正１５】
【補正対象書類名】図面
【補正対象項目名】図３
【補正方法】変更
【補正の内容】
【図３】
2000098503.tif 000003
【手続補正１６】
【補正対象書類名】図面
【補正対象項目名】図４
【補正方法】変更
【補正の内容】
【図４】
2000098503.tif 000004
【手続補正１７】
【補正対象書類名】図面
【補正対象項目名】図５
【補正方法】変更
【補正の内容】
【図５】
2000098503.tif 000005
【手続補正１８】
【補正対象書類名】図面
【補正対象項目名】図７
【補正方法】変更
【補正の内容】
【図７】
2000098503.tif 000006
【手続補正１９】
【補正対象書類名】図面
【補正対象項目名】図８
【補正方法】変更
【補正の内容】
【図８】
2000098503.tif 000007